(57)【要約】【課題】  大きな開口率を確保しながら、地中埋設時の管径方向の圧縮力による変形が抑えられるとともに、穿設加工を効率的に行うことができる集排水孔を備える集水管を提供する。【解決手段】  地中に埋設されることにより地中の水を周面に形成される集水孔から管内に導入する断面円形の集水管において、前記集水孔として、前記周面に、周方向に細長く延びるように、かつ、管軸方向に間隔をおいて形成される複数のスリット孔を備えることを特徴とする。【選択図】図１
0003158594.tif 000002
【実用新案登録請求の範囲】
【請求項１】
地中に埋設されることにより地中の水を周面に形成される集水孔から管内に導入する断面円形の集水管において、前記集水孔として、前記周面に、周方向に細長く延びるように、かつ、管軸方向に間隔をおいて形成される複数のスリット孔を備えることを特徴とする集水管。
【請求項２】
請求項１記載の集水管において、前記スリット孔は、前記管軸方向における開口幅が０．３〜３．０ｍｍであることを特徴とする集水管。
【請求項３】
請求項１又は２記載の集水管を地中に埋設してなる集水構造であって、前記集水管は、地中に横倒し又は傾斜させられた状態で埋設されており、前記スリット孔は、前記横倒し又は傾斜状態における集水管の上面側領域にのみ形成されているか、又は前記傾斜状態における集水管の下面側領域よりも上面側領域に多く形成されていることを特徴とする集水構造。
【考案の詳細な説明】
【技術分野】
【０００１】
本考案は、地中に埋設されて地中から集水するための集水管と、該集水管を地中に埋設してなる集水構造に関する。
【背景技術】
【０００２】
従来、土壌に形成されたボーリング孔等に収容されることにより地中に埋設され、土壌に含まれる水分を集水する集水管では、当該集水管内に水を導入するための集水孔として、周面に多数の丸孔や管の軸方向に延びる多数のスリット孔を穿設したものが採用されている。
【先行技術文献】
【特許文献】
【０００３】
【特許文献１】特開平７−２９３１８３号公報
【考案の概要】
【考案が解決しようとする課題】
【０００４】
ここで、集水孔として多数の丸孔を穿設する集水管の場合、開口率を大きく取るためには、孔の個数を増やすか、孔の直径を広げる必要があるが、個数増加は、穿設加工に要する時間の増大によるコストアップを招き、直径拡大は、小石や砂利等が管内へ進入し易くなるという問題があり、結局、開口率を確保することは難しい。また、丸孔の場合には、小石や砂利等が孔に入り込んで引っ掛かった状態で部分的に塞がれて、集水管の埋設後における時間経過に伴い、開口率が実質的に著しく低下するという問題がある。
【０００５】
また、集水孔として管軸方向に延びる多数のスリット孔を穿設する集水管の場合、丸孔に比べて、開口率を大きく取ることができるが、スリット孔の周方向の間隔を詰めると、外部から管径方向に加わる圧縮力への抵抗力が大きく低下し、地中埋設時に破損又は変形し易いという問題がある。また、スリット孔を穿設する回転切削工具は、被加工面に対して垂直に当接しなければならないところ、周方向の異なる位置に多数のスリット孔を形成する場合には、新たなスリット孔を形成するたびに、回転切削工具を退避させて、管を保持するロック機構を解除し、管を周方向に僅かに回転させ、再びロック機構による保持を行うという作業工程が必要で、穿設加工に長時間を要するという問題がある。
【０００６】
また、地滑り防止等を目的として、集水管を傾斜させて埋設し、土壌に含まれる水を外部に排出する集水構造では、集水孔から管内に導入された水を、傾斜の下方側に位置する集水管の開口端から外部へ排出するが、水が管内を流下する途中で集水管の下面側にある集水孔から外部に洩れ出してしまい、排水効率が悪いという問題がある。
【０００７】
本考案は、上記のような実情に鑑みて、大きな開口率を確保しながら、地中埋設時の管径方向の圧縮力による変形が抑えられるとともに、穿設加工を効率的に行うことができる集排水孔を備える集水管、及び一旦集水管内に導入した水を効率よく排出することができる集水構造を提供することを目的とする。
【課題を解決するための手段】
【０００８】
請求項１記載の考案は、地中に埋設されることにより地中の水を周面に形成される集水孔から管内に導入する断面円形の集水管において、前記集水孔として、前記周面に、周方向に細長く延びるように、かつ、管軸方向に間隔をおいて形成される複数のスリット孔を備えることを特徴とする。
【０００９】
請求項２記載の考案は、請求項１記載の集水管において、前記スリット孔は、前記管軸方向における開口幅が０．３〜３．０ｍｍであることを特徴とする。
【００１０】
請求項３記載の考案は、請求項１又は２記載の集水管を地中に埋設してなる集水構造であって、前記集水管は、地中に横倒し又は傾斜させられた状態で埋設されており、前記スリット孔は、前記横倒し又は傾斜状態における集水管の上面側領域にのみ形成されているか、又は前記傾斜状態における集水管の下面側領域よりも上面側領域に多く形成されていることを特徴とする。
【考案の効果】
【００１１】
本考案の請求項１又は２記載の集水管によれば、以下のような優れた効果を奏し得る。周方向に細長く延びるスリット孔を備えているので、多数の丸孔が穿設されている集水管に比べて、大きな開口率を確保しながら、小石や砂利等の管内への侵入を抑制することができる。また、地中埋設時に周囲から受ける圧縮荷重が管の周方向に伝達されることにより、管軸方向に延びるスリット孔が穿設されている集水管に比べて、スリット孔と平行に延びる管壁に加わる曲げモーメントが抑えられるので耐変形性が高い。更に、管の周方向において穿設する孔の数が少なくなるため、切削工具の当接位置をずらす工程（管のロック解除、回転、再ロック）に要する時間を短縮することができる。
【００１２】
本考案の請求項３記載の集水構造によれば、更に以下のような優れた効果を奏し得る。横倒し又は傾斜状態で埋設される集水管の上面側領域にスリット孔を形成することとしたので、スリット孔から集水管内に導入された水は、スリット孔が無い若しくは少ない下面側領域に沿って傾斜の下方に流れるため、高い排水効率が得られる。したがって、集中豪雨時における地滑り防止用の排水手段として施工された場合には、地表から大量に浸み込んでくる水を、管の上面側領域に形成される集水孔で効率的に集水する一方、下面側領域から漏れ出すことが確実に抑制されるので、結果として地滑り防止効果が高められる。
【図面の簡単な説明】
【００１３】
【図１】本発明の実施形態に係る集水管の斜視図で、（ａ）、（ｂ）、（ｃ）は、スリット孔の配置パターンの異なる例を示す図。
【図２】図１（ａ）に示す集水管のスリット孔を形成する手順を説明する図。
【図３】本発明の実施形態に係る集水管の斜視図で、（ａ）、（ｂ）、（ｃ）は、更に別のスリット孔の配置パターン例を示す図。
【図４】図３（ａ）に示す集水管を埋設してなる集水構造を示す図。
【図５】別の集水構造を示す図。
【考案を実施するための形態】
【００１４】
以下、本考案の実施の形態について図を参照しながら説明する。
【００１５】
図１に示される集水管１〜３は、すべて合成樹脂製の直管体であり、これらの周面１ａ〜３ａには、周方向に細長く延びるように、かつ、管軸方向に所定間隔をおいて形成される複数のスリット孔１１、２１、２２、３１、３２が備えられている。管軸方向においてスリット孔によって挟まれる部分は、断面円形の直管体の周面を成すアーチ形状となっており、地中埋設時に周囲から受ける圧縮荷重は集水管の円周方向に沿って伝達されるため、管軸方向に延びるスリット孔を備える上記従来の集水管と比べて曲げモーメントが大幅に低減されて、変形や破損が生じ難いという利点がある。
【００１６】
図１（ａ）に示される集水管１の複数のスリット孔１１は、その周面１ａの周方向において等間隔に設定される４箇所（複数位置）で、管軸方向に所定間隔Ｘをおいて一列に並ぶように、直管体の管軸方向の全体に亘って形成されている。ここで、スリット孔１１の管軸方向における開口幅は０．３〜３．０ｍｍに設定されており、例えば周方向における開口幅が１００ｍｍに設定されている場合には、スリット孔一つの開口面積が３０〜３００ｍｍ２となり、直径５ｍｍの丸孔による約１９．６ｍｍ２の開口面積に対して１．５〜１５倍以上の大きさが確保され、開口率を大幅に向上させることができる。その一方で、スリット孔の管軸方向の開口幅は狭く、集水孔から小石や砂利等が大量に進入して集水管の内部に堆積して詰まりを生じることが防止される。
【００１７】
スリット孔１１を形成する場合は、例えば、図２（ａ）に示されるように、外周縁に刃部が形成される円盤型の切削工具Ｃを、その盤面が直管体の管軸方向と直交するように、かつ、同一駆動軸上に所定間隔Ｘをおいて４枚（複数枚）配設し、これらを回転駆動しながら、直管体に接近させてスリット孔１１を切削加工し、図２（ｂ）に示されるように、切削工具Ｃを直管体から離間させるタイミングで、直管体を管軸方向に所定間隔４Ｘだけずらすことにより、新たなスリット孔１１の形成位置へ切削工具Ｃを相対移動させて、再び同様の切削加工を行う。これを繰り返して、図２（ｃ）に示されるように、当該列におけるスリット孔１１が管軸方向の全体に形成されたときに、直管体を９０度回転させてスリット孔を形成する周方向位置をずらしてから、上述した切削加工を再び繰り返し、最終的に複数の周方向位置のすべてにおいてスリット孔１１を形成する。
【００１８】
図１（ｂ）に示される集水管２は、その周面２ａの周方向において等間隔に設定される４箇所（複数位置）で、管軸方向に所定間隔２Ｘをおいて一列に並ぶように、直管体の管軸方向の全体に亘って形成される複数のスリット孔２１と、各スリット孔２１の形成位置に対し、周方向で位相を４５度ずつ、管軸方向で位置をＸずつずらすことにより、管軸方向に所定間隔２Ｘをおいて一列に並ぶように形成される複数のスリット孔２２が設けられている。すなわち、スリット孔２１，２２は、集水管２の管軸方向に所定間隔Ｘをおいて交互に形成されており、相互に周方向の位相が異なる（４５度ずれた）位置に形成されている。したがって、図１（ａ）に示される集水管１のように、スリット孔が形成されていない部分が帯状に連続して現れるようなことがなく、集水管の周囲の土壌に含まれる水分を満遍なく取り込むことができる。
【００１９】
なお、スリット孔２１，２２を形成する場合は、集水管１にスリット孔１１を形成する切削工具Ｃを同一駆動軸上に所定間隔２Ｘをおいて複数枚配設し、これらを回転駆動させながら直管体に接近させて、スリット孔２１を切削加工し、切削工具Ｃを直管体から離間させるタイミングで直管体を管軸方向に所定間隔８Ｘずつずらすことにより、新たなスリット孔２１の形成位置へ切削工具Ｃを相対移動させて、同様の切削加工を行う。これを繰り返して、当該列におけるスリット孔２１が管軸方向の全長に亘って形成されたときに、直管体を４５度回転させて、今度はスリット孔２２を管軸方向の全長に亘って形成する。以下、同様の加工を繰り返すことにより、図１（ｂ）に示されるようなスリット孔２１，２２が周面全体に形成される。
【００２０】
図１（ｃ）に示される集水管３は、その周面３ａの周方向において等間隔に設定される４箇所（複数位置）で、管軸方向に所定間隔Ｘをおいて４個（複数個）ずつ一列に並ぶスリット孔３１で構成されるスリット孔群Ａと、スリット孔群Ａに対し、周方向で位相を４５度ずらした４箇所（複数位置）で、管軸方向に所定間隔Ｘをおいて４個（複数個）ずつ一列に並ぶスリット孔３２で構成されるスリット孔群Ｂと、が管軸方向で交互に設けられている。したがって、スリット孔３１，３２が形成されていない帯状部分が、千鳥格子状に分散されることとなり、これにより集水管の周囲の土壌に含まれる水分を満遍なく取り込むことができる。
【００２１】
なお、スリット孔３１，３２を形成する場合は、集水管１にスリット孔１１を形成する場合と同間隔で同一駆動軸上に４枚（複数枚）配設した切削工具Ｃを回転駆動させながら直管体に接近させて、スリット孔３１を切削加工してスリット群Ａを形成する。そして、切削工具Ｃが離間するタイミングで直管体を管軸方向に所定間隔８Ｘずらしてはスリット群Ａを形成する加工処理を繰り返し行う。当該列におけるスリット孔群Ａがすべて形成されると、次は、直管体を４５度回転させて、スリット孔群Ａから所定間隔４Ｘずらした位置にスリット孔群Ｂを形成する。以下同様の加工処理を繰り返すことにより、図１（ｃ）に示されるようなスリット孔３１，３２が形成される。
【００２２】
図３に示される集水管４〜６は、集水管１〜３と同様に、すべて合成樹脂製の直管体であり、これらの周面には、周方向に細長く延びるように、かつ、管軸方向に所定間隔をおいて形成される複数のスリット孔が備えられている。但し、図３（ａ）に示される集水管４では、その周面４ａの半分（一点鎖線の右側）にスリット孔４１が設けられている一方において、残り半分の周面には全く設けられておらず、図３（ｂ）及び（ｃ）に示される集水管５，６では、その周面５ａ，６ａの半分（一点鎖線の右側）に満遍なくスリット孔５１，５２，６１，６２が設けられている一方、これに比べて残り半分の周面に設けられるスリット孔の開口は部分的で少なく設定されている。
【００２３】
上記集水管４〜６は、地下水を汲み上げる井戸等に使用することも可能であるが、主として、山の斜面や崖付近において、集中豪雨の際に急増する土壌内の水分を外部へ効率的に排出して地滑り防止等を図るための集水構造に使用される。例えば、図４に示されるように、集水管４を傾斜させるとともに、その傾斜の下方にある管端開口４２が崖の側面に開放される状態で埋設され、スリット孔４１が設けられている周面の半分が埋設された集水管４の上半分（上面側領域）に位置し、スリット孔が全く設けられていない残り半分の周面が埋設状態の集水管４の下半分（下面側領域）に位置するように、管周面の向きが設定される。
【００２４】
これにより、崖上方の地表から浸み込んだ雨水が、土壌内を下方に向かって流下する途中で、埋設されている集水管４の上面側領域に形成されるスリット孔４１によって集水されるようになり、管内部に効率的に導入されることとなる。更に集水管４の下面側領域には、スリット孔が全く設けられていないため、管内部に一旦導入された雨水は、管径の半分を超える水深にならない限り外部に漏れ出すことなく、すべて崖側面に露出する管端開口から放出される。また、管内部における水深がたとえ管径の半分を超えたとしても、外部に漏れ出す量は少なく抑えられる。その結果として、土壌内の水分が効率よく外部に排出されることとなり、地滑り等の災害防止効果が高められる。
【００２５】
集水管５，６についても、図３（ｂ）及び（ｃ）に示される管の右半分が、横倒し又は傾斜状態における集水管の上面側領域に位置するように周面５ａ，６ａの向きを設定してなる集水構造を構築することで、上記集水構造と同様に、土壌内の水分を効率よく外部に排出することができ、地滑り等の災害防止効果が高められる。なお、図４に示す集水構造は、集水した水分を管端開口から土壌の外側へ直接排出するものであるが、図５に示すように、土壌を掘削して設けた大きな井戸孔７に対して、集水管４（又は５、６）を放射状に連結して、集水管内に導入された水を井戸孔７に溜めるようにした集水構造に採用することもできる。
【００２６】
上述した集水管１〜６は、一つのスリット孔が周方向において９０度以内に収まるように形成されていたが、これに限らず、例えば周面の半周（１８０度）以上に及ぶスリット孔を形成することとしても良い。その他、本考案の集水管及び集水構造は、上述の実施例にのみ限定されるものではなく、本考案の要旨を逸脱しない範囲内において種々変更を加え得ることは勿論である。
【符号の説明】
【００２７】
１  集水管
１１  スリット孔（集水孔）
２  集水管
２１  スリット孔（集水孔）
２２  スリット孔（集水孔）
３  集水管
３１  スリット孔（集水孔）
３２  スリット孔（集水孔）
４  集水管
４１  スリット孔（集水孔）
５  集水管
５１  スリット孔（集水孔）
５２  スリット孔（集水孔）
６  集水管
６１  スリット孔（集水孔）
６２  スリット孔（集水孔）
【図１】
0003158594.tif 000003
【図２】
0003158594.tif 000004
【図３】
0003158594.tif 000005
【図４】
0003158594.tif 000006
【図５】
0003158594.tif 000007